(57)【要約】      （修正有）【課題】広告効果の高い電子看板を広く普及させ各店舗の活性化に繋げるとともに情報のやり取りを通じて顧客に近い店舗運営を可能にした双方向機能を有した廉価型液晶電子看板を提供する。【解決手段】液晶テレビ４とメディアプレイヤー３を１本の高画質・高音質対応接続端子コード５で繋ぐことにより動画編集ソフトウェアで制作した二次元コードを含むコンテンツを液晶テレビ４画面上に表示でき、さらに、電子看板メーカー専用のコンテンツ制作ソフトウェアで制作していた電子看板用コンテンツを動画編集ソフトウェアで制作し、電子看板用コンテンツとして液晶テレビ４画面上に表示することを特徴とし、コンテンツを制作する店舗がクーポン内容を二次元コード７に入れ込み、液晶テレビ画面上に表示して来店者に携帯電話や高機能携帯電話で二次元コード７を読み取らせ来店促進を図ることを特徴とする。【選択図】図１
0003181682.tif 000002
【実用新案登録請求の範囲】
【請求項１】
市販の価格が下落傾向にある液晶テレビとメディアプレイヤーの組み合わせにより、今まで市場の拡大を阻んでいた高額な電子看板から転換した廉価型電子看板。
【請求項２】
液晶テレビとメディアプレイヤーを繋ぎ電子看板として機能させることにより、従来電子看板メーカーの専用ソフトウェアでなければ作成できなかった電子看板用コンテンツを、汎用のコンテンツ制作ソフトウェアで作成できるようにしたデザイン性が高くレイアウトの自由度も高い電子看板。
【請求項３】
液晶テレビの画面上に表示した二次元コードで各種端末上に集客を目的とした、店舗に相応しいクーポン表示を可能にした電子看板。
【請求項４】
二次元コードで店舗あるいは店舗運営会社のホームページ、またはソーシャルネットワークサービスのアドレスに接続できることにより、情報の受け手が情報の発信者にもなり得てコミュニケーションが成り立つ双方向型電子看板。
【請求項５】
電子看板の機材を全て家電市場から調達できる普及版電子看板。
【請求項６】
コンテンツの受け渡しが記憶媒体１枚の移動だけ、あるいは電子メールのやり取りで済む簡便な電子看板。
【考案の詳細な説明】
【技術分野】
【０００１】  従来の電子看板はメーカー専用の機材・ハードウェアがあり、コンテンツを作成する編集ソフトウェアも各電子看板メーカー専用で互換性がなく、高額商品でもあったので電子看板市場の成長・拡大の障壁となっていた。
【背景技術】
【０００２】  二次元コードの進化は表示可能な情報量の増大となって、画面上に表示する二次元コードの内容次第で様々な場面設定が可能になり、広告内容・店舗展開の多様性をもたらした。【０００３】  二次元コードを読み取るリーダが携帯電話に標準装備されていて、高機能携帯電話でもアプリケーションで簡単に装備できる。【０００４】  液晶テレビの技術革新・高品質化がどんどん進み、汎用性のあるコンテンツ制作ソフトの出力フォーマットに対応したメディアプレイヤーも安価で購入できてその二つを繋ぐことで液晶ディスプレイに変化させることができる。
【先行技術文献】
【特許文献】
【０００５】
【特許文献１】特開２００４−７０２３２号公報
【非特許文献】
【０００６】
【非特許文献１】「ＮＥＣ  パブリックディスプレイ総合カタログ」，ＮＥＣディスプレイソリューションズ株式会社，２０１２年，Ｐ．１８，Ｐ．１９
【考案の概要】
【考案が解決しようとする課題】
【０００７】  現在広く使われている電子看板は各大手電機メーカーが製造したものがほとんどで、街中の店舗が購入しさらに専用ソフトウェアを使ってコンテンツを制作するしかなく、電子看板として機能させるには手間と費用がかなり掛かってしまう。また電子看板を導入して活用しても店舗側からの情報が一方的に発信されるだけで、店舗利用者の反応や電子看板を視認した人がどのような感想・意見を持ったか確認できなかった。
【課題を解決するための手段】
【０００８】  本考案は地上デジタル放送移行に伴う地上デジタル放送対応テレビの特需後の極端な販売不振による価格下落と家電製品全体の価格低迷を利用し、液晶テレビとメディアプレイヤーを電子看板のハードウェアとして活用し、ソフトウェアについても汎用のコンテンツ制作ソフトを利用できるようにしている。また情報の流れについても二次元コードを画面の一角に表示して、受信者側が情報の発信者側に接触できる機会を設けて情報が一方通行にならないための方法を電子看板上に施している。
【考案の効果】
【０００９】  市販のハイスペックでも安価な液晶テレビやメディアプレイヤーを組み合わせて電子看板として利用するので、今まで高額だという理由で電子看板を使った広告宣伝や販売促進に二の足を踏んでいた多くの店舗運営者に商機拡大の機会を与える。また電子看板市場の拡大はコンテンツ制作者のスキルアップとコンテンツのハイクォリティ化をもたらし、電子看板設置店舗の集客増大・売上拡大が十分に見込めるようになる。
【図面の簡単な説明】
【００１０】
【図１】本考案の液晶テレビとメディアプレイヤーを用いた電子看板の構成図
【考案の実施するための形態】
【００１１】  本考案は汎用性のあるコンテンツ制作ソフトウェアで作成したコンテンツが液晶テレビの画面上に表示されるとき、画面の一角に二次元コードが現れるようにコンテンツ作成してそれを記憶媒体に記録しておく。電子看板として機能するように、液晶テレビとメディアプレイヤーをＨＤＭＩ端子コードで接続しておく。液晶テレビとメディアプレイヤー双方の電源を入れる。電子看板の画面上に現れるコンテンツを記録した記憶媒体をメディアプレイヤーに挿入し所定の操作を行う。これにより液晶テレビの画面上にコンテンツが表示され、また情報の一方的な発信から脱却するために設けた二次元コードが画面上に表示され続ける。電子看板に映ったコンテンツを見て店舗内の商品や店舗あるいは店舗運営者に興味や関心を持ちよく知るために接触を持ちたいと思ったときに、画面上の二次元コードに入れ込んでいた店舗のホームページやソーシャルネットワークサービスのアドレスに携帯電話や高性能携帯電話の二次元コードリーダを接写してそれぞれのアドレスに接続することが可能になる。それにより従来の情報を一方的に発信する電子看板から新たに情報の流れを作り出す双方向型電子看板として利用できることを特徴としている。
【実施例】
【００１２】  図１は液晶テレビとメディアプレイヤーを繋げた液晶電子看板の実例である。メディアプレイヤーに汎用性のあるコンテンツ制作ソフトで作成したコンテンツが記録された記憶媒体を挿入し、メディアプレイヤーと液晶テレビの電源を入れることでコンテンツが液晶テレビの画面上に現れ広告宣伝機能を果たす。画面上に現れた二次元コードに携帯電話あるいは高機能携帯電話のコードリーダの焦点を合わせると店舗側が望むようなことが展開していくこともあり得るし、リーダをコードに当てた側の意見や要望がソーシャルネットワークサービスにより店舗側に伝わる機会が増え、相互に意見のやり取りが行われ新たな関係が創出される。
【符号の説明】
【００１３】    １  コンテンツ制作ソフトウェア
２  記憶媒体
３  メディアプレイヤー
４  液晶テレビ
５  ＨＤＭＩ端子コード
６  電源スイッチ
７  二次元コード
【図１】
0003181682.tif 000003
【手続補正書】
【提出日】平成24年11月26日(2012.11.26)
【手続補正１】
【補正対象書類名】実用新案登録請求の範囲
【補正対象項目名】全文
【補正方法】変更
【補正の内容】
【実用新案登録請求の範囲】
【請求項１】
安価な液晶テレビとメディアプレイヤーを高画質・高音質対応接続端子コード１本で繋ぐことにより動画編集ソフトウェアで制作した二次元コードを含むコンテンツを液晶テレビ画面上に表示し、液晶テレビ画面上の二次元コードを携帯電話や高機能携帯電話のコードリーダで読み取る、二次元コードによる双方向機能を有した廉価型液晶電子看板。
【請求項２】
電子看板メーカー専用のコンテンツ制作ソフトウェアで制作していた電子看板用コンテンツを動画編集ソフトウェアで制作し、電子看板用コンテンツとして液晶テレビ画面上に表示することを特徴とする請求項１記載の二次元コードによる双方向機能を有した廉価型液晶電子看板。
【請求項３】
コンテンツを制作する店舗がクーポン内容を二次元コードに入れ込み、液晶テレビ画面上に表示して来店者に携帯電話や高機能携帯電話で二次元コードを読み取らせ来店促進を図ることを特徴とする請求項１記載の二次元コードによる双方向機能を有した廉価型液晶電子看板。
【請求項４】
コンテンツを制作する店舗のホームページやソーシャルネットワークサービスのアドレスを液晶テレビ画面上に表示する二次元コードに入れ込み、店舗内の商品等に関心を抱いた来店者が携帯電話や高機能携帯電話で二次元コードを読み取りアドレスに接続し店舗や商品を調べ意見や感想を伝える機会を設けること特徴とする請求項１の二次元コードによる双方向機能を有した廉価型液晶電子看板。
【請求項５】
電子看板の機能を果たすため必要な機材である液晶テレビやメディアプレイヤー、動画編集ソフトウェア、高画質・高音質対応接続端子コード、記憶媒体を家電量販店やインターネット上から調達することを特徴とする請求項１の二次元コードによる双方向機能を有した廉価型液晶電子看板。
【請求項６】
動画編集ソフトウェアでコンテンツを制作したクリエイターからコンテンツを表示するために液晶テレビとメディアプレイヤーを高画質・高音質対応接続端子コードで繋いで液晶電子看板として用意している店舗へのコンテンツの移動を電子メールまたは記憶媒体１枚で行うことを特徴とする請求項１の二次元コードによる双方向機能を有した廉価型液晶電子看板。
【手続補正２】
【補正対象書類名】明細書
【補正対象項目名】００１１
【補正方法】変更
【補正の内容】
【００１１】  本考案は汎用性のあるコンテンツ制作ソフトウェアで作成したコンテンツが液晶テレビの画面上に表示されるとき、画面の一角に二次元コードが現れるようにコンテンツ作成してそれを記憶媒体に記録しておく。電子看板として機能するように、液晶テレビとメディアプレイヤーをＨＤＭＩ（登録商標）端子コードで接続しておく。液晶テレビとメディアプレイヤー双方の電源を入れる。電子看板の画面上に現れるコンテンツを記録した記憶媒体をメディアプレイヤーに挿入し所定の操作を行う。これにより液晶テレビの画面上にコンテンツが表示され、また情報の一方的な発信から脱却するために設けた二次元コードが画面上に表示され続ける。電子看板に映ったコンテンツを見て店舗内の商品や店舗あるいは店舗運営者に興味や関心を持ちよく知るために接触を持ちたいと思ったときに、画面上の二次元コードに入れ込んでいた店舗のホームページやソーシャルネットワークサービスのアドレスに携帯電話や高性能携帯電話の二次元コードリーダを接写してそれぞれのアドレスに接続することが可能になる。それにより従来の情報を一方的に発信する電子看板から新たに情報の流れを作り出す双方向型電子看板として利用できることを特徴としている。
【手続補正３】
【補正対象書類名】明細書
【補正対象項目名】００１３
【補正方法】変更
【補正の内容】
【００１３】    １  コンテンツ制作ソフトウェア
２  記憶媒体
３  メディアプレイヤー
４  液晶テレビ
５  ＨＤＭＩ（商標登録）端子コード
６  電源スイッチ
７  二次元コード